(57)【要約】【課題】補強部材を堅固に取り付けることができる建築用パネルと、この建築用パネルを用いた天井とを提供する。【解決手段】建築用パネル１は、メラミン、アルミニウム、鋼板などよりなる薄板状の表面材２と、該表面材の裏面に接着剤によって接着された断熱材３とを有する。この建築用パネル１にはフランジ付きアンカーナット４が複数個縦横にそれぞれ一定間隔をおいて設けられている。このアンカーナット４は、雌ねじ穴４ｃが設けられた円筒状の軸棒部４ａと、該軸棒部４ａの一端に設けられたフランジ４ｂとを有する。断熱材３の上に補強部材としてのＬアングル５が重ね合わされ、アンカーナット４の軸棒部４ａにねじ込まれたボルト６及びワッシャ７を介して該Ｌアングル５が建築用パネル１に固定されている。【選択図】図５
2007056625.tif 000002
【特許請求の範囲】
【請求項１】
表面材と、該表面材の裏面に取り付けられた断熱材とを有する建築用パネルにおいて、
雌ねじ穴を有した軸棒部と、該軸棒部の一端に設けられたフランジとを備えてなるフランジ付きアンカーナットが設けられており、
該フランジ付きアンカーナットの該軸棒部は該断熱材に貫設された孔に挿入配置され、該フランジは該断熱材と前記表面材との間に配置されていることを特徴とする建築用パネル。
【請求項２】
請求項１において、該フランジ付きアンカーナットは合成樹脂製であることを特徴とする建築用パネル。
【請求項３】
請求項１又は２において、前記フランジ付きアンカーナットが所定間隔をおいて複数個設けられていることを特徴とする建築用パネル。
【請求項４】
請求項３において、前記断熱材の前記表面材と反対側に補強部材が重ね合わされ、前記フランジ付きアンカーナットにねじ込まれたボルトによって該補強部材が該断熱材に取り付けられていることを特徴とする建築用パネル。
【請求項５】
建築用パネルによって構築された天井において、
該建築用パネルの少なくとも一部が請求項３に記載の建築用パネルであり、この建築用パネルの上に重量物が設置されていることを特徴とする天井。
【発明の詳細な説明】
【技術分野】
【０００１】
本発明は、建築用パネルと、この建築用パネルを用いて構築した天井とに関するものである。
【背景技術】
【０００２】
パネルによって天井を構築した場合、天井がたわむことを防止するためにパネルの上面に補強部材を取り付けることがある。実開平５−３４２２１号の図３には、パネルの上面に箱形断面形のアングル状の補強部材を接着した天井材が記載されている。この補強部材は、パネルを幅方向に横断している。
【特許文献１】実開平５−３４２２１号
【発明の開示】
【発明が解決しようとする課題】
【０００３】
上記実開平５−３４２２１号のように補強部材を接着しただけでは、補強部材と天井材との連結強度が不足し、例えば換気扇などの重量物を天井に載せる程度の十分な剛性を長期にわたって確実に付与することは難しい。
【０００４】
本発明は、補強部材を堅固に取り付けることができる建築用パネルと、この建築用パネルを用いた天井とを提供することを目的とする。
【課題を解決するための手段】
【０００５】
請求項１の建築用パネルは、表面材と、該表面材の裏面に取り付けられた断熱材とを有する建築用パネルにおいて、雌ねじ穴を有した軸棒部と、該軸棒部の一端に設けられたフランジとを備えてなるフランジ付きアンカーナットが設けられており、該フランジ付きアンカーナットの該軸棒部は該断熱材に貫設された孔に挿入配置され、該フランジは該断熱材と前記表面材との間に配置されていることを特徴とするものである。
【０００６】
請求項２の建築用パネルは、請求項１において、該フランジ付きアンカーナットは合成樹脂製であることを特徴とするものである。
【０００７】
請求項３の建築用パネルは、請求項１又は２において、前記フランジ付きアンカーナットが所定間隔をおいて複数個設けられていることを特徴とするものである。
【０００８】
請求項４の建築用パネルは、請求項３において、前記断熱材の前記表面材と反対側に補強部材が重ね合わされ、前記フランジ付きアンカーナットにねじ込まれたボルトによって該補強部材が該断熱材に取り付けられていることを特徴とするものである。
【０００９】
請求項５の天井は、建築用パネルによって構築された天井において、該建築用パネルの少なくとも一部が請求項３に記載の建築用パネルであり、この建築用パネルの上に重量物が設置されていることを特徴とするものである。
【発明の効果】
【００１０】
本発明の建築用パネルにあっては、フランジ付きアンカーナットが設けられており、このアンカーナットにボルトを用いて補強部材を堅固に取り付けることができる。なお、このフランジ付きアンカーナットのフランジが断熱材と表面材との間に介在しているので、フランジ付きアンカーナットは建築用パネルと強固に一体となっている。このため、この建築用パネルに補強部材を取り付けて補強部材付き建築用パネルとし、この補強部材付き建築用パネルを用いて天井を構築した場合には、建築用パネルの上に換気扇、温風ファン、エアコンなどの重量物を設置することができる。
【００１１】
フランジ付きアンカーナットを合成樹脂とした場合には、鋸などの建材切断用工具によって建築用パネルを切断し、所望寸法とすることができる。
【００１２】
フランジ付きアンカーナットを、所定間隔をおいて複数個設けておくと、補強部材を複数個の該アンカーナットを介して建築用パネルに堅固に取り付けることができる。
【発明を実施するための最良の形態】
【００１３】
以下、図面を参照して実施の形態について説明する。第１図は実施の形態に係る建築用パネルの斜視図、第２図は第１図の建築用パネルの一部の拡大図、第３図は第２図のIII−III線断面図、第４図は建築用パネルに補強部材としてのＬアングルを取り付けた状態の斜視図、第５図は第４図のＶ−Ｖ線断面図、第６図は天井の構築例を示す側面図である。
【００１４】
建築用パネル１は、メラミン、アルミニウム、鋼板などよりなる薄板状の表面材２と、該表面材の裏面に接着剤によって接着された断熱材３とを有する。この断熱材３は発泡スチレン、発泡ウレタンなどの発泡合成樹脂ボードよりなる。この建築用パネル１にはフランジ付きアンカーナット（以下、単にアンカーナットということがある。）４が複数個縦横にそれぞれ一定間隔をおいて設けられている。このアンカーナット４は、雌ねじ穴４ｃが設けられた円筒状の軸棒部４ａと、該軸棒部４ａの一端に設けられたフランジ４ｂとを有する。
【００１５】
断熱材３には、この軸棒部４ａの外径と略同内径の孔３ａ（第３図）が設けられており、軸棒部４ａが該孔３ａに挿入されている。アンカーナット４のフランジ４ｂは、断熱材３と表面材２との間に介在されている。なお、この実施の形態では、断熱材３の表面とフランジ４ｂとが面一となるように断熱材３に浅い座ぐり状の凹部が設けられ、この凹部にフランジ４ｂが配置されている。
【００１６】
この軸棒部４ａの先端面は、断熱材３の外面と面一状となっているが、若干引っ込んでいてもよい。
【００１７】
この断熱材３の上に補強部材としてのＬアングル５が重ね合わされ、アンカーナット４の軸棒部４ａにねじ込まれたボルト６及びワッシャ７を介して該Ｌアングル５が建築用パネル１に固定されている。なお、Ｌアングル５は直交する２葉を有した周知のものであり、断熱材３と重なる面にアンカーナット４と同ピッチにてボルト挿通孔が穿設されている。
【００１８】
このＬアングル５を取り付けた建築用パネル１は、該Ｌアングル５が複数のアンカーナット４及びボルト６を介して堅固に固定されているため、曲げ強度及び曲げ剛性が極めて高い。そのため、第６図の通り、このＬアングル５付きの建築用パネル１を用いて構築した天井の上に換気扇、乾燥用温風ファン、エアコンなどの重量物Ｗを載せても天井がたわむことがない。なお、天井パネルはすべてＬアングル５付き建築用パネル１であってもよく、重量物Ｗを載せるパネルだけＬアングル５付き建築用パネル１とし、その他は通常のパネル（例えば断熱材３と表面材２のみからなるパネル）８によって構築されてもよい。
【００１９】
この実施の形態では、フランジ付きアンカーナット４はその全体を合成樹脂にて一体に成形するのが好ましい。このように合成樹脂製のアンカーナットを用いた場合、建築用パネル１を現場寸法に合わせて建材切断用工具によって切断する際に、切断ラインがアンカーナットに重なってもこれを切断することができ、きわめて便利である。
【００２０】
この実施の形態では、アンカーナット４の軸棒部４ａが断熱材３から突出していないので、複数枚の建築用パネル１を重ね合わせておく場合に好適である。
【００２１】
本発明では、複数枚の建築用パネル１を並列配置し、これらを一連に跨ぐようにＬアングル等の補強部材を配置し、ボルト留めして一体化してもよい。
【００２２】
本発明の建築用パネルは天井以外の壁等の構築にも用いることができる。本発明では、Ｌアングル以外の補強部材を用いてもよい。
【図面の簡単な説明】
【００２３】
【図１】実施の形態に係る建築用パネルの斜視図である。
【図２】第１図の建築用パネルの一部の拡大図である。
【図３】第２図のIII−III線断面図である。
【図４】建築用パネルに補強部材としてのＬアングルを取り付けた状態の斜視図である。
【図５】第４図のＶ−Ｖ線断面図である。
【図６】天井の構築例を示す側面図である。
【符号の説明】
【００２４】
１  建築用パネル
２  表面材
３  断熱材
４  フランジ付きアンカーナット
【図１】
2007056625.tif 000003
【図２】
2007056625.tif 000004
【図３】
2007056625.tif 000005
【図４】
2007056625.tif 000006
【図５】
2007056625.tif 000007
【図６】
2007056625.tif 000008